(57)【要約】    【課題】製品清掃ローラーおよび製品ローラー清掃用ローラーを容易に交換できるようにするとともに、製品清掃ローラーと製品ローラー清掃用ローラーの組み合わせ方を自由に設定することのできる、安価でコンパクトな表面清掃装置を提供する。    【解決手段】製品８の表面に接触して製品８が搬送されることにより回転せしめられる製品清掃ローラー５、６と、製品清掃ローラー５、６に転接する製品ローラー清掃用ローラー７とを備えた表面清掃装置。製品清掃ローラー５、６と製品ローラー清掃用ローラー７を軸受けしガイドするための上端が解放し下端が閉じている複数組の溝またはスリット２、３、４が設けられている。【選択図】図１
2008006324.tif 000002
【特許請求の範囲】
【請求項１】
製品表面に接触して製品が搬送されることにより回転せしめられる製品清掃ローラーと、該製品清掃ローラーに転接する製品ローラー清掃用ローラーとを備えた表面清掃装置において、前記製品清掃ローラーと製品ローラー清掃用ローラーを軸受けしガイドするための上端が解放し下端が閉じている複数組の溝またはスリットを設けたことを特徴とする表面清掃装置。
【請求項２】
前記複数組の溝またはスリットは３組であり、前記溝またはスリットのうち、中央の１組はストレート形状、両側の２組は夫々前記中央の１組と平行な下部部分と前記中央の１組から離れる方向へ延びた上部部分を有していることを特徴とする請求項１に記載の表面清掃装置。
【請求項３】
前記複数組の溝またはスリットは３組であり、前記溝またはスリットのうち、中央の１組の下端は、両側の２組の下端より下に位置していることを特徴とする請求項１又は２に記載の表面清掃装置。
【発明の詳細な説明】
【技術分野】
【０００１】
本発明は、製品表面を清掃する表面清掃装置に関する。
【背景技術】
【０００２】
従来の表面清掃装置は、通常２種類のローラーを備えており、帯状あるいは板状の製品に押し当てられる製品清掃ローラー（１次ローラー）と、製品清掃ローラーに押し当てられる製品ローラー清掃用ローラー（２次ローラー）があって、製品に付着するゴミ類が、先ず製品清掃ローラーに付着し、次いで製品ローラー清掃用ローラーへ移行されるようになっている。従って、製品に付着したゴミ・水分等を製品清掃ローラーで除去し、除去したゴミ・水分等が製品ローラー清掃用ローラーに取り込まれるようになっている（例えば、特許文献１参照）。
【０００３】
このような表面清掃装置は、生産ラインの一部として設置され、製品ローラー清掃用ローラーにゴミ類が累積した時、一旦生産ラインを停止し、累積したゴミ類を取り除いた後、再稼動するものや、製品ローラー清掃用ローラーを交換することで、除去したゴミ・水分等が再び製品に付着しないようにしている。
【特許文献１】実開平５−４９０８４号公報
【発明の開示】
【発明が解決しようとする課題】
【０００４】
しかしながら、この種従来の表面清掃装置は、製品清掃ローラーと製品ローラー清掃用ローラーの軸を保持部に固定した方式や保持部の穴に挿入した方式あるいは製品清掃ローラーを回転させるための駆動部が直結した方式となっており、累積したゴミ類を取り除く作業や製品ローラー清掃用ローラーを交換する作業は手間のかかる作業であるうえ、装置が停止する時間が長くなることで、生産効率を悪化させる要因となっていた。
また、従来は大きな装置が多く、既存の生産ラインの限られたスペースに新たに表面清掃装置を設置するためには生産ラインの一部改造が必要となったり、金額的にも高価な装置であったりした。
【０００５】
本発明は、製品清掃ローラーおよび製品ローラー清掃用ローラーを容易に交換できるようにするとともに、製品清掃ローラーと製品ローラー清掃用ローラーの組み合わせ方を自由に設定することで、製品表面の清掃方法を変更することができる、安価でコンパクトな表面清掃装置を提供することを目的とする。
【課題を解決するための手段】
【０００６】
上記目的を達成するため、本発明による表面清掃装置は、製品表面に接触して製品が搬送されることにより回転せしめられる製品清掃ローラーと、該製品清掃ローラーに転接する製品ローラー清掃用ローラーとを備えた表面清掃装置において、前記製品清掃ローラーと製品ローラー清掃用ローラーをガイドするため、上端が解放し下端が閉じている３組の溝またはスリットを設けたことを特徴とする。
【０００７】
また、本発明による表面清掃装置は、前記複数組の溝またはスリットは３組であり、前記溝またはスリットのうち、前記複数組の溝またはスリットは３組であり、前記溝またはスリットのうち、中央の１組はストレート形状、両側の２組は夫々前記中央の１組と平行な下部部分と前記中央の１組から離れる方向へ延びた上部部分を有していることを特徴とする。
【０００８】
また、本発明による表面清掃装置は、３組設けられた前記溝またはスリットのうち、中央の１組の下端は、両側の２組の下端より下に位置していることを特徴とする。
【発明の効果】
【０００９】
本発明により、製品清掃ローラーおよび製品ローラー清掃用ローラーの組み換え時間は、約１分程度で対処できるようになった。また、製品の両面あるいは片面の表面を１本の製品清掃ローラーが清掃するシングル清掃と、２本の製品清掃ローラーが清掃するダブル清掃を、装置を交換することなく１台の装置で行うことが可能となり、製品によって清掃面が変わる場合であっても、製品清掃ローラーと製品ローラー清掃用ローラーの組み合わせ方を変更することによって、容易に対応が可能となった。そして、大きさが製品清掃ローラーあるいは製品ローラー清掃用ローラー２、３本分が占める程度（ローラー直径の２〜３倍程度）の幅で済む表面清掃装置となり、既存設備の狭い部分にも設置が可能となった。
【発明を実施するための最良の形態】
【００１０】
以下、本発明の実施の形態を図示した実施例に基づき説明する。
図１は本発明に係る表面清掃装置の一実施例の斜視図である。図２はローラー保持部の正面図である。この実施例では、対向して設けられた一対のローラー保持部１，１にそれぞれ形成された３組のガイド溝２，３および４のうち、外側のガイド溝３，４には製品清掃ローラー５，６が、中央のガイド溝２には製品ローラー清掃用ローラー７がそれぞれ組み込まれている。中央の１組のガイド溝２，２は、垂直に延びたストレート形状で、上端が開放されて横断面が凹形である。両側の２組のガイド溝３，３および４，４は、上端が開放されたスリットとして形成されており、中央のガイド溝２，２と平行な下部部分３ａ，３ａおよび４ａ，４ａと、途中から中央のガイド溝２，２から離れる方向へ延びた上部部分３ｂ，３ｂおよび４ｂ，４ｂとをそれぞれ有している。なお、ガイドスリット３および４の深さは、図２に符号Dで示すように、中央のガイド溝２と比べて浅く形成されている。また、ガイドスリット３および４は、横断面が凹形の溝として形成されてもよいし、ガイド溝２はスリットとして形成されてもよい。
【００１１】
本発明装置は、上記のように構成されているから、製品清掃ローラー５，６と製品ローラー清掃用ローラー７の回転軸を、ローラー保持部１，１に形成されたガイド溝またはスリット２，２、３，３および４，４に落とし込むだけで装置を組み立てることができ、また、落とし込みの順番、本数を変えることで、製品の表面または裏面あるいは表裏両面を、シングル清掃あるいはダブル清掃できるように構成することができる。図３乃至図５は、その各種実施例を示している。これらの実施例では、ガイド溝２，３および４が総てストレート形状のスリット２’，３’および４’として形成されているが、これらは、上述の実施例で説明したように、スリット３’および４’の形状も含め、適宜選択して横断面が凹形の溝として形成されてもよい。図中、８は製品である。
【００１２】
図３（ａ）は製品８の両面を、図３（ｂ）および図３（ｃ）は製品８の片面を、それぞれシングル清掃する場合の各ローラー５，６および７の組み込み例を示している。３組のガイドスリットの内、中央の１組２’を用いて各ローラー５，６および７を組み込んでいるが、これらを外側のガイドスリット３’または４’に組み込むことも可能であることはいうまでもない。
【００１３】
即ち、図３（ａ）に示すように両面清掃の場合は、製品ローラー清掃用ローラー７、製品清掃ローラー５、製品清掃ローラー６、製品ローラー清掃用ローラー７の順番に、同じガイドスリットに各ローラーを組み込み、製品清掃ローラー５，６間を製品８が通ることで製品の両面を清掃することができる。また、図３（ｂ）に示すように上面清掃の場合は、製品清掃ローラー５、製品ローラー清掃用ローラー７の順番に、同じガイドスリットに各ローラーを組み込む。また、図３（ｃ）に示すように下面清掃の場合は、製品ローラー清掃用ローラー７、製品清掃ローラー６の順番に、同じガイドスリットに各ローラーを組み込めばよい。
【００１４】
図４（ａ）は製品８の両面を、図４（ｂ）および図４（ｃ）は片面を、それぞれダブル清掃する場合の製品清掃ローラー５，６と製品ローラー清掃用ローラー７の組み込み例を示している。即ち、両側のガイドスリット３’および４’にそれぞれ製品清掃ローラー５，５および６，６を、中央のガイドスリット２’に製品ローラー清掃用ローラー７，７を組み込むことで、ダブル清掃が可能になる。この場合当然のことながら、各ローラーを組み込む順番は、下方側になるローラーから先に組み込まれる。
【００１５】
図５は、製品８の両面のダブル清掃を複数台並べて多段清掃を行うようにした例を示している。即ち、この場合は、図４（ａ）に示した組み込み例を１ユニットとして複数台連設し、各ユニットの製品清掃ローラー５，５および６，６間に共通の製品８を通すようにする。
【００１６】
このように各ローラーの回転軸をガイド溝またはスリットに落とし込む構造を採用することにより、製品清掃ローラー５，６および製品ローラー清掃用ローラー７の着脱が容易になり、ゴミ類が累積して製品ローラー清掃用ローラーを交換する必要が生じた場合における、装置の停止時間を短縮することができる。
【００１７】
特に、中央の１組のガイド溝またはスリット２，２はストレート形状であり、両側の２組のガイドスリット３，３、４，４は、中央の１組のガイドスリット２，２と平行な下部部分３ａ，４ａと、途中から中央の１組のガイドスリット２，２から離れる方向へ延びた上部部分３ｂ，４ｂとを有している構成を採用すれば、各ローラーの着脱がより容易に行うことが可能となる。
【００１８】
そして、３組設けられたガイド溝またはスリットのうち、中央の１組のガイドスリットの下端を、両側の２組のガイド溝またはスリットの下端よりも下方に位置するように選定することにより、両側のガイド溝またはスリットの深さが浅くなり、両側のローラーの着脱が、より容易となる。
【００１９】
また、ダブル清掃の場合には、２本の製品清掃ローラー５，６に対して、１本の製品ローラー清掃用ローラー７を用いることが可能となり、製品ローラー清掃用ローラー７を共通に使うことができるようになり、経済的である。
【００２０】
以上説明したように、各ローラーの軸をガイドする３組のガイド溝あるいはスリットのうち１組から３組を適宜使い分けることで、製品の表面または裏面の清掃あるいは表裏両面の清掃を、シングル清掃あるいはダブル清掃できるようになる、極めて便利なこの種表面清掃装置を提供することができる
【図面の簡単な説明】
【００２１】
【図１】本発明に係る表面清掃装置の一実施例の斜視図である。
【図２】本発明装置のローラー保持部の正面図である。
【図３】本発明装置によるシングル清掃の場合の各種ローラーの組合せ例を示す説明図である。
【図４】本発明装置によるダブル清掃の場合の各種ローラーの組合せ例を示す説明図である。
【図５】本発明装置による多段清掃の場合の各種ローラーの組合せ例を示す説明図である。
【符号の説明】
【００２２】
１                                  ローラー保持部
２、２’、３、３’、４、４’        ガイド溝またはスリット
３ａ、４ａ                          ガイド溝またはスリットの下部部分
３ｂ、４ｂ                          ガイド溝またはスリットの上部部分
５，６                              製品清掃ローラー
７                                  製品ローラー清掃用ローラー
８                                  製品
Ｄ                                  ガイド溝またはスリット２，２'とガイド溝また
はスリット３，３'、４，４'との深さの差
【図１】
2008006324.tif 000003
【図２】
2008006324.tif 000004
【図３】
2008006324.tif 000005
【図４】
2008006324.tif 000006
【図５】
2008006324.tif 000007